(57)【要約】【課題】隅棟の近傍において屋根材の内側に浸入した雨水を外部に排水可能な屋根構造、及びこの屋根構造に利用可能な屋根材を提供する。【解決手段】本発明に係る屋根構造は、隅棟が形成された勾配屋根の屋根構造であって、前記隅棟に沿って配置された第１屋根材及び第２屋根材を備え、前記第１屋根材は、前記第２屋根材に一部を重ねた状態で水上側に配置されており、前記第１屋根材の鉛直方向下側には、前記隅棟側に雨水を誘導可能な誘導路が設けられ、前記誘導路の排出口は、前記第２屋根材の上面に対して鉛直方向上側の位置に形成されている。【選択図】図６
2018009390.tif 000002
【特許請求の範囲】
【請求項１】
隅棟が形成された勾配屋根の屋根構造であって、
前記隅棟に沿って配置された第１屋根材及び第２屋根材を備え、
前記第１屋根材は、前記第２屋根材に一部を重ねた状態で水上側に配置されており、
前記第１屋根材の鉛直方向下側には、前記隅棟側に雨水を誘導可能な誘導路が設けられ、前記誘導路の排出口は、前記第２屋根材の上面に対して鉛直方向上側の位置に形成されていることを特徴とする屋根構造。
【請求項２】
前記誘導路は、前記第１屋根材又は前記第２屋根材の一部により形成されていることを特徴とする、請求項１に記載の屋根構造。
【請求項３】
前記第１屋根材は、水下側の端部に、先端が水上側を向くように折り返された水下側折り返し部を備え、
前記第２屋根材は、水上側の端部に、先端が水下側を向くように折り返され、前記水下側折り返し部と係合する水上側折り返し部を備え、
前記誘導路は、前記水下側折り返し部により形成されていることを特徴とする、請求項２に記載の屋根構造。
【請求項４】
前記第１屋根材は、前記隅棟側に位置する第１外縁部を備え、
前記第２屋根材は、前記隅棟側に位置する第２外縁部を備え、
鉛直方向上側から見た場合に、前記第２外縁部の水上側の端部は、前記第１外縁部の水下側の端部よりも、前記隅棟の近くに位置し、
前記排出口は、前記第１外縁部の水下側の端部の位置に形成されていることを特徴とする、請求項１乃至３のいずれか１つに記載の屋根構造。
【請求項５】
前記隅棟を覆う棟包を備え、
前記誘導路の前記排出口は、前記棟包に覆われた位置に形成されていることを特徴とする、請求項１乃至４のいずれか１つに記載の屋根構造。
【請求項６】
前記第１屋根材及び前記第２屋根材は、金属により形成されていることを特徴とする、請求項１乃至５のいずれか１つに記載の屋根構造。
【請求項７】
勾配屋根の隅棟に沿って複数配置することが可能な屋根材であって、
水上側に向かって、鉛直方向上側に一部を重ねた状態で連続して配置することが可能であり、
連続して配置した状態において、水上側の屋根材の鉛直方向下側に、前記隅棟側に雨水を誘導可能な誘導路が形成され、前記誘導路の排出口が、前記水上側の屋根材の水下側で隣接する屋根材の上面に対して鉛直方向上側の位置に形成されることを特徴とする屋根材。
【発明の詳細な説明】
【技術分野】
【０００１】
本発明は、屋根構造及びこの屋根構造に用いられる屋根材に関する。
【背景技術】
【０００２】
従来から、屋根構造の上面を構成する屋根材の隙間等から屋根構造の内部に浸入した雨水を、屋根材の内側に設けられた防水層上に流し、軒先等から外部に排水する屋根構造が知られている。
【０００３】
特許文献１には、焼成粘土瓦を予め工場で切断して製造したプレカット粘土瓦が開示されている。特許文献１に記載のプレカット粘土瓦には、隅切落しが形成されている。また、特許文献１には、この隅切落しが、屋根に葺き上げ時において、他のプレカット粘土瓦又は粘土瓦等の瓦と積層した箇所の一部を切断した構成とすることが記載されている。
【０００４】
また、特許文献２には、屋根構造として、幅方向における片側略半部に山部、他側略半部に谷部がそれぞれ形成された非対称断面の波形瓦を勾配屋根面上に葺設する屋根葺き構造が記載されている。また、特許文献２に記載の波形瓦には、流れ方向の水下側から水上側に向かって左側に谷部、右側に山部が形成された「谷山タイプ」の波形瓦と、左側に山部、右側に谷部が形成された「山谷タイプ」の波形瓦との２種類が記載されている。そして、特許文献２には、屋根面の各段ごとに、ひとつの段には上述した「谷山タイプ」の波形瓦を一定方向に葺き重ね、その上段には上述した「山谷タイプ」の波形瓦を上記下段の葺き重ね方向と同じ方向に葺き重ねることにより、波形瓦の山部及び谷部を流れ方向に揃えつつ、各段の葺き重ね部が千鳥となるように波形瓦を葺設することが記載されている。
【先行技術文献】
【特許文献】
【０００５】
【特許文献１】特開２００４−２２５３９１号公報
【特許文献２】特開２０１３−１５１７９２号公報
【発明の概要】
【発明が解決しようとする課題】
【０００６】
ところで、屋根材の内側に設けられる防水層には、屋根材を固定するためのビスや釘等が貫通しているため、この貫通孔を通じて雨水が建物の内部に浸水するおそれがある。特に、勾配屋根の屋根面同士の繋ぎ目である隅棟では、雨水が屋根材の内側に入り込み易い。そのため、雨水が屋根材の内側に浸入することを防ぐ雨仕舞い設けることが求められる。
【０００７】
特許文献１のプレカット粘土瓦を用いた屋根構造によれば、隅切落しを設けることで、上のプレカット粘土瓦の上面を流れる雨水を、積層した下のプレカット粘土瓦の上面上に流すことができるため、雨水が屋根材としてのプレカット粘土瓦の内側に浸入し難くなる。しかしながら、このような屋根構造であっても、雨水が屋根材の内側に浸入することを完全に防ぐことはできない。
【０００８】
そのため、特許文献２の屋根構造のように、屋根材の内側に浸入した雨水を、水下側で再び屋根材の外側に排水することが考えられるが、特許文献２に記載の屋根構造は、１つの屋根面内でのみ適用可能な構成であり、隅棟近傍に適用可能な構成ではない。
【０００９】
そこで本発明は、隅棟の近傍において屋根材の内側に浸入した雨水を外部に排水可能な屋根構造、及びこの屋根構造に利用可能な屋根材を提供することを目的とするものである。
【課題を解決するための手段】
【００１０】
本発明の第１の態様としての屋根構造は、隅棟が形成された勾配屋根の屋根構造であって、前記隅棟に沿って配置された第１屋根材及び第２屋根材を備え、前記第１屋根材は、前記第２屋根材に一部を重ねた状態で水上側に配置されており、前記第１屋根材の鉛直方向下側には、前記隅棟側に雨水を誘導可能な誘導路が設けられ、前記誘導路の排出口は、前記第２屋根材の上面に対して鉛直方向上側の位置に形成されていることを特徴とするものである。
【００１１】
本発明の１つの実施形態として、前記誘導路は、前記第１屋根材又は前記第２屋根材の一部により形成されていることが好ましい。
【００１２】
本発明の１つの実施形態として、前記第１屋根材は、水下側の端部に、先端が水上側を向くように折り返された水下側折り返し部を備え、前記第２屋根材は、水上側の端部に、先端が水下側を向くように折り返され、前記水下側折り返し部と係合する水上側折り返し部を備え、前記誘導路は、前記水下側折り返し部により形成されていることが好ましい。
【００１３】
本発明の１つの実施形態として、前記第１屋根材は、前記隅棟側に位置する第１外縁部を備え、前記第２屋根材は、前記隅棟側に位置する第２外縁部を備え、鉛直方向上側から見た場合に、前記第２外縁部の水上側の端部は、前記第１外縁部の水下側の端部よりも、前記隅棟の近くに位置し、前記排出口は、前記第１外縁部の水下側の端部の位置に形成されていることが好ましい。
【００１４】
本発明の１つの実施形態としての屋根構造は、前記隅棟を覆う棟包を備え、前記誘導路の前記排出口は、前記棟包に覆われた位置に形成されていることが好ましい。
【００１５】
本発明の１つの実施形態として、前記第１屋根材及び前記第２屋根材は、金属により形成されていることが好ましい。
【００１６】
本発明の第２の態様としての屋根材は、勾配屋根の隅棟に沿って複数配置することが可能な屋根材であって、水上側に向かって、鉛直方向上側に一部を重ねた状態で連続して配置することが可能であり、連続して配置した状態において、水上側の屋根材の鉛直方向下側に、前記隅棟側に雨水を誘導可能な誘導路が形成され、前記誘導路の排出口が、前記水上側の屋根材の水下側で隣接する屋根材の上面に対して鉛直方向上側の位置に形成されることを特徴とするものである。
【発明の効果】
【００１７】
本発明によれば、隅棟の近傍において屋根材の内側に浸入した雨水を外部に排水可能な屋根構造、及びこの屋根構造に利用可能な屋根材を提供することができる。
【図面の簡単な説明】
【００１８】
【図１】本発明に係る屋根構造を備える建物を示す図である。
【図２】図１のＩ−Ｉ断面図である。
【図３】図３（ａ）は図２に示す屋根材の単体を、厚み方向から見た平面図であり、図３（ｂ）は、図２に示す屋根材の単体を、厚み方向と直交する方向から見た側面図である。
【図４】屋根勾配の傾斜方向に沿って連続して配置された図３に示す屋根材を傾斜方向に沿い屋根面と略直交する断面で見た断面図である。
【図５】屋根材同士を傾斜方向に連続して配設する方法の概要を示す図である。
【図６】屋根勾配の傾斜方向に沿って連続して配置された図３に示す屋根材についての、隅棟近傍での納まりを示す平面図である。
【発明を実施するための形態】
【００１９】
以下、本発明に係る屋根構造及びこの屋根構造に利用可能な屋根材の実施形態について、図１〜図６を参照して説明する。なお、各図において共通の部位、部材には、同一の符号を付している。
【００２０】
図１は、本発明に係る屋根構造の一実施形態としての屋根構造１を備える建物１００の概略を示す図である。建物１００は、例えば鉄骨造の軸組みを有する２階建ての工業化住宅であり、地盤に固定された鉄筋コンクリート基礎（不図示）と、柱や梁などの軸組部材で構成された軸組架構を有し、鉄筋コンクリート基礎に固定された上部構造体１０１と、で構成される。なお、軸組架構を構成する軸組部材は、予め規格化（標準化）されたものであり、予め工場にて製造されたのち建築現場に搬入されて組み立てられる。
【００２１】
鉄筋コンクリート基礎は、上部構造体１０１の下側に位置し、上部構造体１０１を支持している。具体的に、鉄筋コンクリート基礎は、断面Ｔ字状の布基礎であり、フーチング部と、基礎梁としての立ち上がり部と、を備えている。また、鉄筋コンクリート基礎の立ち上がり部の天端部には、軸組架構の柱の柱脚を固定するためのアンカーボルトが設けられている。
【００２２】
また、鉄筋コンクリート基礎は、上部構造体１０１の軸組架構からの鉛直荷重を地盤に分散して伝達する機能に加えて、上部構造体１０１の外壁構造を構成する各種の部材、床構造を構成する各種の部材、屋根構造１を構成する各種の部材などを直接的又は間接的に支持する機能をも有している。
【００２３】
上部構造体１０１の軸組架構は、複数の柱と複数の梁とから構成されている。軸組架構の外周部には、外壁構造を構成する外装材１０２等が配置される。また、軸組架構の層間部には、床構造を構成する床板部材等が配置される。更に、軸組架構の上部には、屋根構造１を構成する屋根材５等が配置される。
【００２４】
建物１００の外壁構造は、外装材１０２、断熱材及び内装材を少なくとも含む。外装材１０２として軽量気泡コンクリート（以下、「ＡＬＣ」と記載する。「ＡＬＣ」とは「autoclaved light weight concrete」の略である。）のパネルを用いることができるが、外装材１０２として、例えば、耐火性を有する金属系や窯業系のサイディング、押出成形セメント板、木質パネル材などを用いることも可能である。建物１００の外壁構造の外層は、外装材１０２を複数連接させることにより形成することができる。
【００２５】
また、断熱材は、例えば、フェノールフォーム、ポリスチレンフォーム、ウレタンフォーム等の発泡樹脂系の材料で形成することができ、上述の外装材１０２により形成された外層の内面に沿って連接することにより、建物１００の外壁構造の断熱層を形成することができる。
【００２６】
更に、内装材は、例えば、石膏ボードを用いることができ、断熱層の内側に連接することにより、建物１００の外壁構造の内層を形成することができる。
【００２７】
建物１００の床構造は、床下地材を含む。床下地材は、軸組架構の梁間に架設され、梁により直接的又は間接的に支持される。床下地材は、例えば、ＡＬＣパネルにより構成することができるが、折板、押出成形セメント板、木質パネル材などの別の部材を用いてもよい。上述した木質パネル材としては、例えば、張り合わせる板の繊維方向が平行する集成材や、張り合わせる板の繊維方向が直交するように交互に張り合わされる直交集成板（ＣＬＴ（Cross Laminated Timberの略））などが挙げられる。なお、建物１００の床構造は、床下地材に加えて、床下地材上に積層された、屋内空間の床面を構成するフローリング等の床仕上材などを含むものであってもよい。
【００２８】
以下、建物１００の屋根構造１について詳細に説明する。
【００２９】
図１に示すように、建物１００の屋根構造１は、寄棟造りが複数組み合わされたような形状を有し、上面（外面）に隅棟１０が形成された勾配屋根の構造である。
【００３０】
図２は、図１に示す屋根構造１のうち、１つの隅棟１０の部分についての断面図である。具体的に、図２は、図１のＩ−Ｉ断面図である。図２に示すように、屋根構造１は、屋根躯体２と、下地材３と、防水材４と、屋根材５と、棟包６と、を含む。
【００３１】
屋根躯体２は、建物１００の上部構造体１０１（図１参照）の軸組架構の上部に位置する構造部材であり、下地材３、防水材４、屋根材５、及び棟包６を支持している。
【００３２】
下地材３は、例えば、構造用合板等により形成された野地板とすることができる。下地材３は、ビス等の締結手段５０により、屋根躯体２に取り付けられている。なお、図２に示す下地材３は、ビス等の締結手段５０によって屋根躯体２に対して直接取り付けられているが、この構成に限られるものではなく、下地材３を、屋根躯体２に対して固定された別の構造部材に固定するようにしてもよい。
【００３３】
防水材４は、例えば、アスファルトルーフィング等の防水シートとすることができる。防水材４は、隅棟１０を跨るようにして下地材３上に配設され、ビス等の締結手段５０により、下地材３に対して、又は下地材３及び屋根躯体２等の構造部材に対して、位置が固定される。そして、この防水材４により屋根構造１の防水層が形成される。なお、図２に示す防水材４は、ビスにより、下地材３及び屋根躯体２に対して位置が固定されている。また、図２に示すように、防水材４は、隅棟１０を挟んで両側に跨るように配設される。
【００３４】
屋根材５は、金属により形成されており、例えば、ガルバリウム鋼板(登録商標)、ステンレス板、銅板などの金属板材とすることができる。屋根材５は、防水材４の鉛直方向上側において、防水材４の上面に沿って、すなわち、屋根勾配の傾斜方向に沿って、連続して複数配設され、外部に露出する屋根構造１の上面を形成する。
【００３５】
図３（ａ）は屋根材５の単体を、屋根材５の厚み方向から見た平面図であり、図３（ｂ）は、屋根材５の単体を、厚み方向と直交する方向から見た側面図である。
【００３６】
図３に示すように、本実施形態の屋根材５は長尺板状の形状を有している。具体的に、本実施形態の屋根材５は、厚み方向から見た場合（図３（ａ）参照）に、互いに略平行する長辺側の外縁部２１及び２２と、これら長辺それぞれの延在方向の両側で一方の外縁部２１と他方の外縁部２２を繋ぐ短辺側の外縁部２３及び２４と、を有している。図３（ａ）に示す短辺側の外縁部２３及び２４は、長辺側の略平行する外縁部２１及び２２に対して傾斜しており、本実施形態の屋根材５は、図３（ａ）の平面視で、略台形の外形を有している。なお、この屋根材５は、矩形状の屋根材片を一部が重なる状態で横方向（図３（ａ）の長辺の延在方向となる方向）に複数枚並べることにより形成される。そして、隅棟１０に沿う端部の屋根材片については、現場で傾斜状に切断加工される。これにより、短辺側の外縁部２３及び２４が形成される。
【００３７】
また、図３（ｂ）に示すように、図３（ａ）の平面視における長辺側の外縁部２１及び２２には、折り返し部が形成されている。具体的に、屋根材５は、平板状の本体部５１と、この本体部５１の一端部（本実施形態では一方の長辺側の外縁部２１と同じ）に連続して形成されている一方の折り返し部５２と、本体部５１の他端部（本実施形態では他方の長辺側の外縁部２２と同じ）に連続して形成されている他方の折り返し部５３と、を備えている。
【００３８】
一方の長辺側の外縁部２１に形成されている折り返し部５２は、屋根材５の厚み方向（本体部５１の厚み方向と同じ）の一方側に折り返されており、他方の長辺側の外縁部２２に形成されている折り返し部５３は、屋根材５の厚み方向の他方側に折り返されている。このように、両方の折り返し部５２及び５３の折り返し方向を互いに逆向きにすることにより、屋根勾配の傾斜方向に沿って屋根材５同士を容易に連結することが可能となる。屋根勾配の傾斜方向に沿う屋根材５同士の連結構成についての詳細は後述する（図４、図５参照）。
【００３９】
なお、屋根材５は、図３（ａ）の平面視における短辺側の外縁部２３及び２４が隅棟１０に沿うように防水材４上に設置される。屋根材５と隅棟１０との納まりの詳細についても後述する（図６等参照）。
【００４０】
また、図３（ａ）に示すように、屋根材５の本体部５１には、屋根材５の長手方向と直交する方向に延在する複数の溝部５４が形成されている。
【００４１】
棟包６は、例えば、屋根材５と同様の材料により形成することができる。棟包６は、隅棟１０の鉛直方向上側を覆っている。具体的に、隅棟１０は、その水平方向両側に位置する２つの平面状の屋根面が交差する稜線により形成されており、棟包６は、隅棟１０を跨って配置されている。なお、図２に示すように、棟包６は、隅棟１０の両側の屋根面の隅棟１０近傍に設けられた台部材７を覆うように配置されている。台部材７としては、例えば、樹脂部材や、木粉及び樹脂により形成される人工木材等を用いることができる。また台部材７は、隅棟１０に沿って防水材４上に配置され、ビス等の締結手段５０により、下地材３や屋根躯体２等に取り付けられる。図２に示す例では、台部材７として、断面外形の異なる２つの樹脂部材又は人工木材を用い、これら２つの部材を積み重ねて、棟包６の高さ位置を調整しているが、単一の部材により台部材７を構成してもよく、３つ以上の部材を組み合わせて台部材７を構成してもよい。
【００４２】
以下、屋根勾配の傾斜方向に沿う屋根材５同士の連続配置の詳細、及び屋根材５の隅棟１０近傍での納まりの詳細について説明する。
【００４３】
図４は、屋根勾配の傾斜方向に沿って連続して配置された複数の屋根材５を、傾斜方向に沿い屋根面と略直交する断面で見た断面図である。また、図５は、屋根材５同士を傾斜方向に連続して配設する方法の概要を示す図である。更に、図６は、屋根勾配の傾斜方向に沿って連続して配置された複数の屋根材５についての、隅棟１０近傍での納まりを示す平面図である。
【００４４】
まず、屋根勾配の傾斜方向に沿って複数の屋根材５を連続して配置する構成の詳細について、傾斜方向において隣接して配置される２つの屋根材５を用いて説明する。具体的に、屋根構造１は、傾斜方向に沿って隣接して配置される第１屋根材５ａ及び第２屋根材５ｂを備えている。なお、第１屋根材５ａ及び第２屋根材５ｂは、側面視（図３（ｂ）参照）において同形状を有するものである。そして、図４では、第１屋根材５ａ及び第２屋根材５ｂの他に、これらと屋根勾配の傾斜方向において隣接する別の屋根材５を描いているが、本実施形態において屋根勾配の傾斜方向において隣接する任意の２つの屋根材５の連結構成は同様であるため、ここでは、第１屋根材５ａと第２屋根材５ｂとの間の連結構成についてのみ例示説明する。
【００４５】
図４に示すように、第１屋根材５ａは、第２屋根材５ｂの水上側で、第２屋根材５ｂの鉛直方向上側に一部を重ねた状態で配置されている。具体的に、第１屋根材５ａは、防水材４（図２参照）上に配置された第２屋根材５ｂに対して、第２屋根材５ｂの水上側の一部の鉛直方向上側を覆うようにして、第２屋根材５ｂの水上側に配置される。
【００４６】
ここで、第１屋根材５ａ及び第２屋根材５ｂそれぞれは、図３に示すように折り返し部を備えている。具体的に、第１屋根材５ａは、平板状の本体部５ａ１と、この本体部５ａ１の水下側の端部（図３（ａ）に示す一方の長辺側の外縁部２１に相当する）に連続して形成され、先端が水上側を向くように、第１屋根材５ａの鉛直方向下側（本体部５ａ１の下面側と同じ）に屈曲する水下側折り返し部５ａ２と、本体部５ａ１の水上側の端部（図３（ａ）に示す他方の長辺側の外縁部２２に相当する）に連続して形成され、先端が水下側を向くように、第１屋根材５ａの鉛直方向上側（本体部５ａ１の上面側と同じ）に屈曲する水上側折り返し部５ａ３と、を備えている。
【００４７】
また、図４に示すように、第２屋根材５ｂは、平板状の本体部５ｂ１と、この本体部５ｂ１の水下側の端部（図３（ａ）に示す一方の長辺側の外縁部２１に相当する）に連続して形成され、先端が水上側を向くように、第２屋根材５ｂの鉛直方向下側（本体部５ｂ１の下面側と同じ）に屈曲する水下側折り返し部５ｂ２と、本体部５ｂ１の水上側の端部（図３（ａ）に示す他方の長辺側の外縁部２２に相当する）に連続して形成され、先端が水下側を向くように、第２屋根材５ｂの鉛直方向上側（本体部５ｂ１の上面側と同じ）に屈曲する水上側折り返し部５ｂ３と、を備えている。
【００４８】
図４に示すように、第１屋根材５ａ及び第２屋根材５ｂは、第２屋根材５ｂの水上側折り返し部５ｂ３と第１屋根材５ａの水下側折り返し部５ａ２とが係合することにより、屋根勾配の傾斜方向において連結されている。より具体的に、第１屋根材５ａの水下側折り返し部５ａ２、及び第２屋根材５ｂの水上側折り返し部５ｂ３は、その一方が他方の中に入り込むようにして連結されている。
【００４９】
このように、第１屋根材５ａ及び第２屋根材５ｂを含む複数の屋根材５は、屋根勾配の傾斜方向において、防水材４上で、連続して連結されて配置されている。そのため、屋根材５の上面上の雨水は、各屋根材５の上面を伝って、水上側から水下側に流れていく。
【００５０】
ここで、台風時等において、複数の屋根材５の間などから、屋根材５の下面側に雨水が浸入する可能性があるが、屋根構造１は、屋根材５の下面側に浸入した雨水を所定方向に誘導可能な誘導路３０を備えている。具体的には、図４に示すように、第２屋根材５ｂの水上側折り返し部５ｂ３と、第１屋根材５ａの水下側折り返し部５ａ２とは、水平方向（図４の紙面に直交する方向）に延在する間隙を形成した状態で係合しており、第１屋根材５ａと第２屋根材５ｂとの間などから、第１屋根材５ａの下面側に浸入した雨水は、上述した間隙を通じて水平方向に向かって流れる。すなわち、本実施形態の屋根構造１において、第１屋根材５ａの鉛直方向下側に設けられた水下側折り返し部５ａ２は、第１屋根材５ａの下面側に浸入した雨水を水平方向に流れるように誘導する誘導路３０ａとなる。誘導路３０ａにより所定方向に流れる雨水は、所定位置に形成される排出口３１ａ（図６参照）を通じて、誘導路３０ａから排出される。この排出口３１ａの詳細は後述する（図６参照）。
【００５１】
次に、図５を参照しつつ、屋根材５の設置方法について説明する。屋根材５は、防水材４上において、屋根勾配の水下側から水上側に向かって順次設置していく。具体的には、図５に示すように、まず、屋根勾配の傾斜方向において最も水下側となる屋根材５を配置する。次に、この屋根材５の水上側で隣接する別の屋根材５として、例えば上述した第２屋根材５ｂを取り付ける。具体的には、第２屋根材５ｂは、既に設置されている最も水下側の屋根材５の水上側で、この屋根材５の鉛直方向上側に一部が重なるように設置される。より具体的に、第２屋根材５ｂの水下側折り返し部５ｂ２が、既に設置されている最も水下側の屋根材５の水上側の折り返し部５３と係合するように設置される（図５の矢印参照）。これに次いで、第１屋根材５ａが設置される。この作業を水上側に向かって順次行うことにより、複数の屋根材５を屋根勾配の傾斜方向に沿って連続して配置することができる。
【００５２】
また、本実施形態では金属製の屋根材５を用いている。そのため、屋根材５同士の連結部を本実施形態のように折り返し部５２及び５３として、錆び易い金属の切断面となる小口（端面）を外部に露出しないようにすることが好ましい。
【００５３】
更に、図５に示すように、複数の屋根材５を屋根勾配の傾斜方向に沿って連続して配置していく際、隅棟１０の部分では、各屋根材５の水平方向の外縁部（図３（ａ）に示す一方の短辺側の外縁部２３に相当する）を、隅棟１０を跨らずに、隅棟１０に沿うようにして設置していく。つまり、図５に示す例では、複数の屋根材５が、その隅棟１０側の外縁部が隅棟１０に沿うように、屋根勾配の傾斜方向に連続して配置されている。なお、図５に示す各屋根材５は、その隅棟１０側の外縁部が隅棟１０に沿って設置された上述の台部材７に沿うようにして、配置されている。
【００５４】
次に、屋根材５の隅棟１０近傍での納まりの詳細について、図６を参照して説明する。図６に示すように、隅棟１０の近傍において複数の屋根材５は、屋根勾配の傾斜方向に沿って、かつ、隅棟１０に沿って配置される。具体的に、第１屋根材５ａ及び第２屋根材５ｂを含む複数の屋根材５は、その水平方向の少なくとも一端側の外縁部（図３（ａ）に示す一方の短辺側の外縁部２３に相当する）が隅棟１０に沿うように、屋根勾配の傾斜方向に沿って連続して配置されている。より具体的に、図６に示す第１屋根材５ａ及び第２屋根材５ｂは、その水平方向の一端側の外縁部２３ａ及び２３ｂが隅棟１０に沿うように、屋根勾配の傾斜方向に沿って連続して配置されている。なお、以下、説明の便宜上、第１屋根材５ａの水平方向の一端側の外縁部２３ａを「第１外縁部２３ａ」と記載し、第２屋根材５ｂの水平方向の一端側の外縁部２３ｂを「第２外縁部２３ｂ」と記載する。
【００５５】
本実施形態の第１屋根材５ａ及び第２屋根材５ｂを含む複数の屋根材５のそれぞれは、図３に示すように長尺板状の形状を有しており、水平方向の一端側の外縁部２３のみならず、他端側の外縁部２４も別の隅棟１０に沿うように配置されるものであるが、屋根材５は、その水平方向の少なくとも一端側の外縁部が隅棟１０に沿って配置可能なものであればよく、本実施形態で示す屋根材５の形状に限られるものではない。
【００５６】
ここで、図６に示すように、第１屋根材５ａの誘導路３０ａとしての水下側折り返し部５ａ２は、雨水を隅棟１０側に誘導する。そして、誘導路３０ａの排出口３１ａは、隅棟１０まで到達する前の位置であって、第２屋根材５ｂの上面に対して鉛直方向上側の位置に形成されている。
【００５７】
これにより、誘導路３０ａを隅棟１０側に向かって流れる雨水は、隅棟１０に到達する前に、第２屋根材５ｂの上面上に排出される（図６の矢印参照）。つまり、第１屋根材５ａの下面側に浸入した雨水を、再び第２屋根材５ｂの上面側に排出することができるので、防水材４の上面にまで雨水が流れ込んで、防水材４を固定するビス孔や釘孔等の貫通孔から防水材４の下面側に雨水が浸入することを抑制することができる。また、屋根面の継ぎ目となる隅棟１０の部分に雨水が到達することをも抑制することができる。
【００５８】
なお、図６に示すように、屋根構造１では、第１屋根材５ａの水下側折り返し部５ａ２により構成される誘導路３０ａのみならず、最も水下側に配置される屋根材５以外の全ての屋根材５の水下側の折り返し部５２が同様の誘導路３０を構成している。つまり、例えば第２屋根材５ｂについても、その水下側折り返し部５ｂ２により、誘導路３０ｂが構成されている。
【００５９】
また、本実施形態の誘導路３０ａとしての間隙は、鉛直方向上側から見た場合に第１屋根材５ａ及び第２屋根材５ｂが重なる位置であって、鉛直方向において第１屋根材５ａと第２屋根材５ｂとの間の位置に設けられている。つまり、排出口３１ａのみならず、誘導路３０ａ全体が、第２屋根材５ｂの上面に対して鉛直方向上側の位置に形成されている。より具体的に、本実施形態の誘導路３０ａは、第２屋根材５ｂと係合して連結する連結部としての水下側折り返し部５ａ２により構成されている。つまり、本実施形態の第１屋根材５ａの誘導路３０ａは、第２屋根材５ｂとの連結部を兼ねる構成である。そのため、第２屋根材との連結部及び誘導路を別々の部位により形成する構成と比較して、構成をより簡素化することができる。
【００６０】
なお、図６に示すように、本実施形態では、第１屋根材５ａの誘導路３０ａのみならず、第２屋根材５ｂの誘導路３０ｂを含む別の屋根材５の誘導路３０が、上述した連結部を兼ねる構成となっている。
【００６１】
また、本実施形態では、隅棟１０近傍を鉛直方向上側から見た場合（図６参照）、第２屋根材５ｂの隅棟１０側に位置する第２外縁部２３ｂの水上側の端部２３ｂ１は、第１屋根材５ａの隅棟１０側に位置する第１外縁部２３ａの水下側の端部２３ａ２よりも、隅棟１０の近くに位置している。そして、排出口３１ａは、第１外縁部２３ａの水下側の端部２３ａ２の位置に形成されている。
【００６２】
より具体的に、本実施形態において、第１屋根材５ａの第１外縁部２３ａの水下側の端部２３ａ２は、水下側折り返し部５ａ２の隅棟１０側の端部である。また、本実施形態において、第２屋根材５ｂの第２外縁部２３ｂの水上側の端部２３ｂ１は、水上側折り返し部５ｂ３の隅棟１０側の端部である。つまり、本実施形態では、第２屋根材５ｂの水上側折り返し部５ｂ３が、第１屋根材５ａの水下側折り返し部５ａ２よりも、隅棟１０の近くまで延在しており、誘導路３０ａの排出口３１ａは、第１屋根材５ａの水下側折り返し部５ａ２の隅棟１０側の端部の位置に形成されている。
【００６３】
このように、本実施形態では、第１屋根材５ａの水下側折り返し部５ａ２の隅棟１０側の端部の位置と、第２屋根材５ｂの水上側折り返し部５ｂ３の隅棟１０側の端部の位置と、を異ならせる簡易な構成により、排出口３１ａを形成している。
【００６４】
特に、本実施形態では、第１屋根材５ａのうち隅棟１０側の鋭利な突端を切断して取り除き、平面視（図６参照）において隅棟１０の延在方向に対して傾斜するコーナー辺２５ａを形成することにより、上述の排出口３１ａを実現している。つまり、上述の排出口３１ａのような構成であれば、例えば現場で突端を切断するなどの簡単な加工によって、容易に実現することが可能である。
【００６５】
なお、図６に示すように、本実施形態では、第１屋根材５ａにより構成される誘導路３０ａの排出口３１ａのみならず、第２屋根材５ｂにより構成される誘導路３０ｂの排出口３１ｂを含む、別の屋根材５により構成される誘導路３０の排出口３１についても、上述した構成により形成されている。つまり、図３、図６に示すように、本実施形態では、第１屋根材５ａのみならず、第２屋根材５ｂのコーナー辺２５ｂなど、別の屋根材５においてもコーナー辺２５が形成されており、これにより、排出口３１が形成されている。
【００６６】
また、図６に示すように隅棟１０に沿って形成される各排出口３１は、その鉛直方向上側が棟包６（図２参照）に覆われた位置に形成されている。このような構成とすれば、排出口３１が外部に露出することを防ぎ、屋根構造１の外面の意匠性が損なわれ難い。また、排出口３１の上側が覆われるため、排出口３１の部分に雨水が滴下することを抑制することができる。これにより、排出口３１を形成した部分を通じて却って隅棟１０側へと雨水が進行してしまうことを抑制することができる。
【００６７】
以上のとおり、本実施形態の屋根構造１は、勾配屋根の隅棟１０に沿って複数配置することが可能な屋根材５を含むものである。そして、この屋根材５は、水上側に向かって、鉛直方向上側に一部を重ねた状態で連続して配置することが可能なものである。更に、この屋根材５は、隅棟１０に沿って連続して配置した状態において、水上側の屋根材５（本実施形態では例えば第１屋根材５ａ）の鉛直方向下側に、隅棟１０側に雨水を誘導可能な誘導路３０（本実施形態では例えば誘導路３０ａ）が形成され、誘導路３０の排出口３１（本実施形態では例えば排出口３１ａ）が、水上側の屋根材５の水下側で隣接する屋根材５（本実施形態では例えば第２屋根材５ｂ）の上面に対して鉛直方向上側の位置に形成されるものである。
【００６８】
本発明に係る屋根構造及びこの屋根構造に用いられる屋根材は、上述した実施形態において説明した具体的な構成に限られるものではなく、特許請求の範囲の記載に逸脱しない範囲において種々の変更が可能なものである。
【００６９】
例えば、本実施形態の誘導路３０は、屋根材５の水下側の折り返し部５２により形成されているが、この構成に限られるものではなく、例えば、屋根材５の水下側の折り返し部５２とは別の部位により形成することも可能である。また、例えば、鉛直方向において重ねられる２つの屋根材５の間に配置された別の部材により誘導路を形成してもよい。但し、上述した実施形態のように、屋根材５の一部により誘導路３０を形成する構成とすれば、誘導路３０の構成を簡易化することができるため好ましい。
【００７０】
また、本実施形態では、屋根構造１を有する建物１００（図１参照）として、鉄骨造の軸組みを有する２階建ての住宅を例示しているが、この構成に限られるものではなく、例えば、木造の軸組みを有する建物であってもよい。また、１階建ての平屋でもよく、３階以上の建物であってもよい。なお、木造の軸組みを有する建物の場合、上述した屋根躯体２は、例えば、垂木や隅木とすることができる。
【００７１】
更に、本実施形態の屋根構造１は、寄棟造りが複数組み合わされたような形状を有するものであるが、屋根面が互いに接した部分に、隅に向かって傾斜した隅棟１０が形成される屋根構造であればよく、寄棟造りに限られるものではない。したがって、例えば、入母屋造りや方形造りなどのであってもよい。
【００７２】
また更に、本発明に係る屋根構造は、新築の建物に適用可能であるのみならず、既存の建物の屋根の改修によって、既存の建物にも適用することも可能である。かかる場合には、例えば、既存の建物の既存の屋根材の上に、本発明に係る屋根材を重ねて設置した屋根構造とすることができる。例えば古い建物の屋根材には、アスベストを含む化粧スレートが用いられている場合がある。このような場合には、本発明にかかる屋根材を、既存の屋根材を取り除くことなく、既存の屋根材の上に重ねて設置する。これにより、屋根の改修作業が容易になると共に、アスベスト等の飛散を抑制することができる。
【産業上の利用可能性】
【００７３】
本発明は、屋根構造及びこの屋根構造に用いられる屋根材に関する。
【符号の説明】
【００７４】
１：屋根構造
２：屋根躯体
３：下地材
４：防水材
５：屋根材
５ａ：第１屋根材
５ａ１：本体部
５ａ２：水下側折り返し部
５ａ３：水上側折り返し部
５ｂ：第２屋根材
５ｂ１：本体部
５ｂ２：水下側折り返し部
５ｂ３：水上側折り返し部
６：棟包
７：台部材
１０：隅棟
２１：長辺側の一方の外縁部
２２：長辺側の他方の外縁部
２３：短辺側の一方の外縁部
２３ａ：第１外縁部
２３ａ２：第１外縁部の水下側の端部
２３ｂ：第２外縁部
２３ｂ１：第２外縁部の水上側の端部
２４：短辺側の他方の外縁部
２５：コーナー辺
３０、３０ａ、３０ｂ：誘導路
３１、３１ａ、３１ｂ：排出口
５０：締結手段
５１：本体部
５２、５３：折り返し部
５４：溝部
１００：建物
１０１：上部構造体
１０２：外装材
【図１】
2018009390.tif 000003
【図２】
2018009390.tif 000004
【図３】
2018009390.tif 000005
【図４】
2018009390.tif 000006
【図５】
2018009390.tif 000007
【図６】
2018009390.tif 000008